(57)【要約】【課題】閲覧者が必要としている情報を有するハイパーリンクを容易に取捨選択でき、閲覧のための無駄な時間を削減することができる文書情報の閲覧方法、装置及びプログラムを提供する。【解決手段】閲覧文書情報は、ハイパーリンク毎に、参照先文書情報の関連情報であるリンクプロパティを含んでおり、装置は、閲覧文書情報を取得する文書情報取得手段と、閲覧者が所望する関連情報である閲覧者プロパティを蓄積した閲覧者プロパティ蓄積手段と、ハイパーリンク毎に、リンクプロパティを抽出し、該リンクプロパティと閲覧者プロパティとの関連情報の合致度を算出する参照先合致度計算手段と、ハイパーリンク毎に、合致度に基づいて、該ハイパーリンクの部分の表示に特徴付けて、閲覧文書情報を表示する表示手段とを有する。【選択図】      図１
2004341607.tif 000002
【特許請求の範囲】
【請求項１】
１つ以上の参照先文書情報に対してハイパーリンクを有する閲覧文書情報の閲覧方法において、
前記閲覧文書情報は、前記ハイパーリンク毎に、前記参照先文書情報の関連情報であるリンクプロパティを含んでおり、
閲覧者が所望する関連情報である閲覧者プロパティを用いて、
前記閲覧文書情報を取得する第１のステップと、
前記ハイパーリンク毎に、前記リンクプロパティを抽出し、該リンクプロパティと前記閲覧者プロパティとの関連情報の合致度を算出する第２のステップと、
前記ハイパーリンク毎に、前記合致度に基づいて、該ハイパーリンクの部分の表示に特徴付けて、前記閲覧文書情報を表示する第３のステップと
を有することを特徴とする閲覧方法。
【請求項２】
前記リンクプロパティ及び前記閲覧者プロパティは、単語の集合であり、前記閲覧者プロパティは、閲覧者の過去の閲覧履歴を蓄積した個人情報データベースから取得されるものであり、
前記第２のステップは、前記ハイパーリンク毎に、
（両プロパティで合致した単語数）２／
（閲覧者プロパティ内の単語数）×（リンクプロパティ内の単語数）
によって前記合致度を算出することを特徴とする請求項１に記載の閲覧方法。
【請求項３】
前記リンクプロパティ及び前記閲覧者プロパティは、単語及び重要度率の集合であり、前記閲覧者プロパティは、閲覧者の過去の閲覧履歴を蓄積した個人情報データベースから取得されるものであり、
前記第２のステップは、前記ハイパーリンク毎に、
（両プロパティで合致した全ての単語について、閲覧者プロパティの重要度率×リンクプロパティの重要度率の和）／
（√（閲覧者プロパティについて全ての単語の重要度率の２乗の和）×
√（リンクプロパティについて全ての単語の重要度率の２乗の和））
によって前記合致度を算出することを特徴とする請求項１に記載の閲覧方法。
【請求項４】
前記第３のステップについて、前記合致度の高いハイパーリンクは強調した色で表示し、前記合致度の低いハイパーリンクは強調しない色で表示するか又は非表示とすることを特徴とする請求項１から３のいずれか１項に記載の閲覧方法。
【請求項５】
１つ以上の参照先文書情報に対してハイパーリンクを有する閲覧文書情報を閲覧する閲覧装置において、
前記閲覧文書情報は、前記ハイパーリンク毎に、前記参照先文書情報の関連情報であるリンクプロパティを含んでおり、
前記装置は、
前記閲覧文書情報を取得する文書情報取得手段と、
閲覧者が所望する関連情報である閲覧者プロパティを蓄積した閲覧者プロパティ蓄積手段と、
前記ハイパーリンク毎に、前記リンクプロパティを抽出し、該リンクプロパティと前記閲覧者プロパティとの関連情報の合致度を算出する参照先合致度計算手段と、
前記ハイパーリンク毎に、前記合致度に基づいて、該ハイパーリンクの部分の表示に特徴付けて、前記閲覧文書情報を表示する表示手段と
を有することを特徴とする閲覧装置。
【請求項６】
前記リンクプロパティ及び前記閲覧者プロパティは、単語の集合であり
閲覧者の過去の閲覧履歴を蓄積した個人情報データベースと、
前記個人情報データベースを用いて前記閲覧者プロパティを取得する閲覧者プロパティ取得部と
を更に有し、
前記参照先合致度計算手段は、前記ハイパーリンク毎に、
（両プロパティで合致した単語数）２／
（閲覧者プロパティ内の単語数）×（リンクプロパティ内の単語数）
によって前記合致度を算出することを特徴とする請求項５に記載の閲覧装置。
【請求項７】
前記リンクプロパティ及び前記閲覧者プロパティは、単語の集合であり
閲覧者の過去の閲覧履歴を蓄積した個人情報データベースと、
前記個人情報データベースを用いて前記閲覧者プロパティを取得する閲覧者プロパティ取得部と
を更に有し、
前記参照先合致度計算手段は、前記ハイパーリンク毎に、
（両プロパティで合致した全ての単語について、閲覧者プロパティの重要度率×リンクプロパティの重要度率の和）／
（√（閲覧者プロパティについて全ての単語の重要度率の２乗の和）×
√（リンクプロパティについて全ての単語の重要度率の２乗の和））
によって前記合致度を算出することを特徴とする請求項５に記載の閲覧装置。
【請求項８】
前記表示手段について、前記合致度の高いハイパーリンクは強調した色で表示し、前記合致度の低いハイパーリンクは強調しない色で表示するか又は非表示とすることを特徴とする請求項５から７のいずれか１項に記載の閲覧装置。
【請求項９】
１つ以上の参照先文書情報に対してハイパーリンクを有する閲覧文書情報の閲覧プログラムにおいて、
前記閲覧文書情報は、前記ハイパーリンク毎に、前記参照先文書情報の関連情報であるリンクプロパティを含んでおり、
閲覧者が所望する関連情報である閲覧者プロパティを用いて、
前記閲覧文書情報を取得する第１のステップと、
前記ハイパーリンク毎に、前記リンクプロパティを抽出し、該リンクプロパティと前記閲覧者プロパティとの関連情報の合致度を算出する第２のステップと、前記ハイパーリンク毎に、前記合致度に基づいて、該ハイパーリンクの部分の表示に特徴付けて、前記閲覧文書情報を表示する第３のステップと
してコンピュータを実行させることを特徴とする閲覧プログラム。
【請求項１０】
前記リンクプロパティ及び前記閲覧者プロパティは、単語の集合であり、前記閲覧者プロパティは、閲覧者の過去の閲覧履歴を蓄積した個人情報データベースから取得されるものであり、
前記第２のステップは、前記ハイパーリンク毎に、
（両プロパティ内で合致した単語数）２／
（閲覧者プロパティ内の単語数）×（リンクプロパティ内の単語数）
によって前記合致度を算出するようにコンピュータを実行させることを特徴とする請求項９に記載の閲覧プログラム。
【請求項１１】
前記リンクプロパティ及び前記閲覧者プロパティは、単語及び重要度率の集合であり、前記閲覧者プロパティは、閲覧者の過去の閲覧履歴を蓄積した個人情報データベースから取得されるものであり、
前記第２のステップは、前記ハイパーリンク毎に、
（両プロパティで合致した全ての単語について、閲覧者プロパティの重要度率×リンクプロパティの重要度率の和）／
（√（閲覧者プロパティについて全ての単語の重要度率の２乗の和）×
√（リンクプロパティについて全ての単語の重要度率の２乗の和））
によって前記合致度を算出するようにコンピュータを実行させることを特徴とする請求項９に記載の閲覧プログラム。
【請求項１２】
前記第３のステップについて、前記合致度の高いハイパーリンクは強調した色で表示し、前記合致度の低いハイパーリンクは強調しない色で表示するか又は非表示とするようにコンピュータを実行させることを特徴とする請求項９から１１のいずれか１項に記載の閲覧プログラム。
【発明の詳細な説明】
【０００１】
【発明の属する技術分野】
本発明は、１つ以上の参照先文書情報に対してハイパーリンクを有する閲覧文書情報の閲覧方法、装置及びプログラムに関する。
【０００２】
【従来の技術】
近年、インターネットなどのコンピュータネットワークを通じて、大量の電子化された情報をやり取りしたり、不特定多数を対象にした情報発信ができるようになっている。
【０００３】
インターネット上で公開されている画像やテキストといった情報は、複数のコンピュータ上に分散して存在し、各種の情報を容易に参照できるように「ＵＲＬ（Ｕｎｉｆｏｒｍ  Ｒｅ−ｓｏｕｒｃｅ  Ｌｏｃａｔｏｒ）」という表記法でアクセスできるように規定されている（例えば非特許文献１参照）。また、ＨＴＭＬ（ＨｙｐｅｒＴｅｘｔ  Ｍａｒｋｕｐ  Ｌａｎｇｕａｇｅ）形式の閲覧文書情報内にＵＲＬを表記することで、他のコンピュータ上に存在する他の文書情報（テキスト、画像、音声等を含む。以下同じ）を容易に参照するための「ハイパーリンク」の機能がある。これは、他の文書情報を信頼して自分の記している情報を補間したり、同じ内容の文書を指したり、また、画像などを同一画面上に埋め込んで表示するとき等に用いられる。
【０００４】
ハイパーリンクによる参照関係を利用して、複数の文書を横断的に閲覧するためのものとして、Ｗｅｂブラウザがある。これは、ソフトウェアによって実現されたコンピュータの閲覧機能として動作する。Ｗｅｂブラウザは、閲覧文書情報内に記述されたハイパーリンクによる参照先文書情報を指定することにより、他のコンピュータが用意した文書情報に到達できるようにしている。
【０００５】
【非特許文献１】
ＲＦＣ１７３８、日本語訳文、［ｏｎｌｉｎｅ］、［平成１５年４月２３日検索］、インターネット＜ＵＲＬ：ｈｔｔｐ：／／ｗｗｗ．ｄ４．ｄｉｏｎ．ｎｅ．ｊｐ／￣ｔｅｃｈｎｏ０１／ｄｏｃｕｍｅｎｔ／ｒｆｃ１７３８＿ｊ．ｔｘｔ＞
【０００６】
【発明が解決しようとする課題】
文書情報の提供者は、当該文書情報に、他の文書情報に対するハイパーリンクを自由に設定することができる。また、１つの文書情報内のハイパーリンクの数には制限がないため、参照元の意図によっては様々なハイパーリンクを設定することができる。
【０００７】
しかし、閲覧者にとっては、文書情報の提供者との意図の違いにより、文書情報に不必要な参照先ハイパーリンクが存在する場合があり得る。特に、不必要な参照先ハイパーリンクが多いと、閲覧者は、必要としている情報を取捨選択するまでに時間がかかるという問題がある。
【０００８】
そこで、本発明は、閲覧者が必要としている情報を有するハイパーリンクを容易に取捨選択でき、閲覧のための無駄な時間を削減することができる文書情報の閲覧方法、装置及びプログラムを提供することを目的とする。
【０００９】
【課題を解決するための手段】
本発明の閲覧方法によれば、
閲覧文書情報は、ハイパーリンク毎に、参照先文書情報の関連情報であるリンクプロパティを含んでおり、
閲覧者が所望する関連情報である閲覧者プロパティを用いて、
閲覧文書情報を取得する第１のステップと、
ハイパーリンク毎に、リンクプロパティを抽出し、該リンクプロパティと閲覧者プロパティとの関連情報の合致度を算出する第２のステップと、
ハイパーリンク毎に、合致度に基づいて、該ハイパーリンクの部分の表示に特徴付けて、閲覧文書情報を表示する第３のステップと
を有することを特徴とする。
【００１０】
本発明の閲覧方法における他の実施形態によれば、リンクプロパティ及び閲覧者プロパティは、単語の集合であり、閲覧者プロパティは、閲覧者の過去の閲覧履歴を蓄積した個人情報データベースから取得されるものであり、
第２のステップは、ハイパーリンク毎に、
（両プロパティで合致した単語数）２／
（閲覧者プロパティ内の単語数）×（リンクプロパティ内の単語数）
によって合致度を算出することも好ましい。
【００１１】
本発明の閲覧方法における他の実施形態によれば、リンクプロパティ及び閲覧者プロパティは、単語及び重要度率の集合であり、閲覧者プロパティは、閲覧者の過去の閲覧履歴を蓄積した個人情報データベースから取得されるものであり、
第２のステップは、ハイパーリンク毎に、
（両プロパティで合致した全ての単語について、閲覧者プロパティの重要度率×リンクプロパティの重要度率の和）／
（√（閲覧者プロパティについて全ての単語の重要度率の２乗の和）×
√（リンクプロパティについて全ての単語の重要度率の２乗の和））
によって合致度を算出することも好ましい。
【００１２】
更に、本発明の閲覧方法における他の実施形態によれば、第３のステップについて、合致度の高いハイパーリンクは強調した色で表示し、合致度の低いハイパーリンクは強調しない色で表示するか又は非表示とすることも好ましい。
【００１３】
本発明の閲覧装置によれば、
閲覧文書情報は、ハイパーリンク毎に、参照先文書情報の関連情報であるリンクプロパティを含んでおり、
装置は、
閲覧文書情報を取得する文書情報取得手段と、
閲覧者が所望する関連情報である閲覧者プロパティを蓄積した閲覧者プロパティ蓄積手段と、
ハイパーリンク毎に、リンクプロパティを抽出し、該リンクプロパティと閲覧者プロパティとの関連情報の合致度を算出する参照先合致度計算手段と、
ハイパーリンク毎に、合致度に基づいて、該ハイパーリンクの部分の表示に特徴付けて、閲覧文書情報を表示する表示手段と
を有することを特徴とする。
【００１４】
本発明の閲覧装置における他の実施形態によれば、リンクプロパティ及び閲覧者プロパティは、単語の集合であり、
閲覧者の過去の閲覧履歴を蓄積した個人情報データベースと、
個人情報データベースを用いて閲覧者プロパティを取得する閲覧者プロパティ取得部とを更に有し、
参照先合致度計算手段は、ハイパーリンク毎に、
（両プロパティで合致した単語数）２／
（閲覧者プロパティ内の単語数）×（リンクプロパティ内の単語数）
によって合致度を算出することも好ましい。
【００１５】
また、本発明の閲覧装置における他の実施形態によれば、リンクプロパティ及び閲覧者プロパティは、単語の集合であり
閲覧者の過去の閲覧履歴を蓄積した個人情報データベースと、
個人情報データベースを用いて閲覧者プロパティを取得する閲覧者プロパティ取得部と
を更に有し、
参照先合致度計算手段は、ハイパーリンク毎に、
（両プロパティで合致した全ての単語について、閲覧者プロパティの重要度率×リンクプロパティの重要度率の和）／
（√（閲覧者プロパティについて全ての単語の重要度率の２乗の和）×
√（リンクプロパティについて全ての単語の重要度率の２乗の和））
によって合致度を算出することも好ましい。
【００１６】
更に、本発明の閲覧装置における他の実施形態によれば、表示手段について、合致度の高いハイパーリンクは強調した色で表示し、合致度の低いハイパーリンクは強調しない色で表示するか又は非表示とすることも好ましい。
【００１７】
本発明の閲覧プログラムによれば、
閲覧文書情報は、ハイパーリンク毎に、参照先文書情報の関連情報であるリンクプロパティを含んでおり、
閲覧者が所望する関連情報である閲覧者プロパティを用いて、
閲覧文書情報を取得する第１のステップと、
ハイパーリンク毎に、リンクプロパティを抽出し、該リンクプロパティと閲覧者プロパティとの関連情報の合致度を算出する第２のステップと、
ハイパーリンク毎に、合致度に基づいて、該ハイパーリンクの部分の表示に特徴付けて、閲覧文書情報を表示する第３のステップと
してコンピュータを実行させることを特徴とする。
【００１８】
本発明の閲覧プログラムにおける他の実施形態によれば、リンクプロパティ及び閲覧者プロパティは、単語の集合であり、閲覧者プロパティは、閲覧者の過去の閲覧履歴を蓄積した個人情報データベースから取得されるようにし、
第２のステップは、ハイパーリンク毎に、
（両プロパティ内で合致した単語数）２／
（閲覧者プロパティ内の単語数）×（リンクプロパティ内の単語数）
によって合致度を算出するようにコンピュータを実行させることも好ましい。
【００１９】
また、本発明の閲覧プログラムにおける他の実施形態によれば、リンクプロパティ及び閲覧者プロパティは、単語及び重要度率の集合であり、閲覧者プロパティは、閲覧者の過去の閲覧履歴を蓄積した個人情報データベースから取得されるものであり、
第２のステップは、ハイパーリンク毎に、
（両プロパティで合致した全ての単語について、閲覧者プロパティの重要度率×リンクプロパティの重要度率の和）／
（√（閲覧者プロパティについて全ての単語の重要度率の２乗の和）×
√（リンクプロパティについて全ての単語の重要度率の２乗の和））
によって合致度を算出することも好ましい。
【００２０】
更に、本発明の閲覧プログラムにおける他の実施形態によれば、第３のステップについて、合致度の高いハイパーリンクは強調した色で表示し、合致度の低いハイパーリンクは強調しない色で表示するか又は非表示とするようにコンピュータを実行させることも好ましい。
【００２１】
【発明の実施の形態】
以下、図面を用いて、本発明の実施形態を詳細に説明する。
【００２２】
図１は、本発明におけるシステム構成図である。
【００２３】
図１によれば、閲覧者によって操作されるコンピュータ１は、文書情報取得部１１と、閲覧者プロパティ取得部１２と、参照先合致度計算部１３と、表示部１４と、個人情報データベース１５とを有する。
【００２４】
文書取得部１１は、閲覧者が参照したい文書情報２を取得する。この文書情報は、ＨＴＭＬ形式のものであって、遠隔のＷＷＷサーバからインターネットを介して取得されるものであってもよいし、コンピュータ内のデータベースから取得されるものであってもよい。
【００２５】
また、文書情報２の位置情報（ＵＲＬ）をコンピュータ１に入力することによって指定するものであってもよいし、先の文書情報のハイパーリンクから指定されたものであってもよい。
【００２６】
本発明が対象とする文書情報２には、１つ以上の参照先文書情報へのハイパーリンクが含まれることを要する。更に、そのハイパーリンク毎には、参照先文書情報の関連情報が含まれる。その関連情報は、リンクプロパティと称され、例えば、単語の集合であってもよいし、数値又はＩＤ等であってもよい。もちろん、リンクプロパティは、文書情報の作成時に人手によって設定することもできるし、参照先文書情報を自動的に解析して抽出した単語を自動的に設定することもできる。例えば、ハイパーリンクを設定する際に、参照先文書情報を自動的に取得して、そのテキスト情報から頻出する単語を抽出することができる。
【００２７】
閲覧者プロパティ取得部１２は、個人情報データベース１５から、閲覧者が閲覧の際に所望するであろう関連情報を自動的に抽出する。この関連情報は、閲覧者プロパティと称され、例えば、単語の集合であってもよいし、数値又はＩＤ等であってもよい。ここで、個人情報データベース１５には、閲覧者が過去に閲覧した文書情報や閲覧者の興味情報が蓄積されている。例えば、閲覧者が過去に検索サイトに入力した単語等の情報を取得することができる。もちろん、閲覧者プロパティは、閲覧者によって設定することもできるし、予め登録されてものであってもよい。
【００２８】
参照先合致度計算部１３は、文書情報２における１つ以上のハイパーリンクに対するリンクプロパティと、閲覧者プロパティとを比較して、ハイパーリンクそれぞれに対する合致度を計算する。
【００２９】
表示部１４は、参照先合致度計算部１３で計算した合致度に合わせて、ハイパーリンクの表示／非表示や、表示する際の色を決定して表示する。
【００３０】
以下、具体例を用いて説明する。
【００３１】
図１によれば、取得される文書情報２「ｈｔｔｐ：／／ｗｗｗ．ａａａ．ｃｏ．ｊｐ／ｂｂｂ／ｃｃｃ．ｈｔｍｌ」には、３つのハイパーリンクが含まれ、それぞれにリンクプロパティが存在する。一方、閲覧者プロパティ取得部１２によって取得された閲覧者プロパティには、単語「ｌｉｎｕｘ」「ＯＳ」が設定されているとする。その関係は、以下の表１に表されている。
【００３２】
【表１】
2004341607.tif 000003
【００３３】
参照先合致度計算部１３は、以下の式で、ハイパーリンク毎に、リンクプロパティと閲覧者プロパティとの合致度を算出する。
（両プロパティ内で合致した単語数）２／
（閲覧者プロパティ内の単語数）×（リンクプロパティ内の単語数）
【００３４】
前述した式によれば、両プロパティ内に同じ単語が出現しているほど合致度は高くなり、異なる単語が多くなるほど合致度が小さくなる。この結果は、表２のようになる。
【表２】
2004341607.tif 000004
【００３５】
ここで、要素が実数値のベクトルを考え、閲覧者プロパティもリンクプロパティもベクトルで表現されているとする。各要素は、ここでは「単語」（又は「カテゴリ」）と１対１に対応させるとする。この場合の合致度の式を、閲覧者プロパティのベクトルとリンクプロパティのベクトルの内積と定義すると、ベクトルの各要素が同じ値が多い、すなわち、ベクトルの要素数をｎとしてｎ次元の空間を考えた場合に両ベクトルが同じ方向に向いている場合は、合致度が大きくなり、ベクトルの各要素の値が異なる場合は、逆に合致度が小さくなる。
【００３６】
表示部１４は、閲覧しようとしている文書情報を実際に表示する。その際に、ハイパーリンクの表示は、参照先合致度計算部１３によって計算された合致度に比例して、表示／非表示を行ったり、色を変えて表示したりする。どのように表示するかは、例えば、個人情報データベース１５内に個人が記録しておいてもよいし、設定により予め決めておくこともできる。
【００３７】
例えば、合致度が高いハイパーリンクを赤色にして、逆に、合致度が低いハイパーリンクを非表示にすることもできる。
【００３８】
また、例えば、背景色を黒（０，０，０）（ＲＧＢ表現）とし、合致度が０から１の間の実数値ｘで表現されているとする。また、ハイパーリンクの表示の色を通常は青（０，０，２５５）とする。このとき、合致度に合わせた色は（０，０，２５５×ｘ）とすれば、合致度の値が小さい場合に色が薄く（黒く）なっていくようにできる。
【００３９】
前述した結果は、以下のようになる。
【表３】
2004341607.tif 000005
【００４０】
ここで、参照先合致度計算部１３における他の算出方法についても説明する。
【００４１】
例えば、表４のように、リンクプロパティ及び閲覧者プロパティは、単語及び重要度率の集合からなるとする。
【表４】
2004341607.tif 000006
【００４２】
この場合、参照先合致度計算部１３は、以下の式で、ハイパーリンク毎に、リンクプロパティと閲覧者プロパティとの合致度を算出する。
（両プロパティで合致した全ての単語について、閲覧者プロパティの重要度率×リンクプロパティの重要度率の和）／
（√（閲覧者プロパティについて全ての単語の重要度率の２乗の和）×
√（リンクプロパティについて全ての単語の重要度率の２乗の和））
【００４３】
前述した式の結果は、以下のようになる。
2004341607.tif 000007
【００４４】
従って、最終的な結果は、表５のようになる。
【表５】
2004341607.tif 000008
【００４５】
図２は、本発明におけるフローチャートである。
【００４６】
（Ｓ１）文書情報を取得する。
（Ｓ２）個人情報データベースを用いて、閲覧者プロパティを取得する。
（Ｓ３）参照先文書情報のリンクプロパティを抽出し、そのリンクプロパティと閲覧者プロパティとの合致度を計算する。
（Ｓ４）合致度によりハイパーリンクの表示に特徴を付けて、文書情報を表示する。
【００４７】
本発明の閲覧方法における各ステップは、プログラムとしてコンピュータに内蔵され、ＣＰＵ等の制御手段を用いて実行可能である。また、このプログラムを記録した記録媒体によって又は通信回線を介して、インストールすることによりコンピュータに実行させることもできる。これらプログラムは、主に、インターネットに接続されたコンピュータの一機能として実現されてもよい。
【００４８】
【発明の効果】
本発明における文書情報の閲覧方法、装置及びプログラムによれば、閲覧しようとしている文書情報の表示の際に、閲覧者が必要としている情報を有するハイパーリンクを強調し、そうでない情報を有するハイパーリンクを目立たなく又は非表示にして特徴付けることにより、閲覧者が視覚的に必要としている情報を取捨選択でき、情報収集の効率化を図ることができる。即ち、閲覧者の所望する関連情報を予め設定しておき、それと合致する参照先文書情報のみ閲覧可能とすることで、無駄な時間を削減することができる。
【図面の簡単な説明】
【図１】本発明におけるシステム構成図である。
【図２】本発明におけるフローチャートである。
【符号の説明】
１  閲覧するコンピュータ
１１  文書情報取得部
１２  閲覧者プロパティ蓄積部
１３  参照先合致度計算部
１４  表示部
１５  個人情報データベース
２  文書情報
【図１】
2004341607.tif 000009
【図２】
2004341607.tif 000010